(57)【要約】【課題】高生産性で且つ高品質なカバリングヤーンを提供すること。【解決手段】２本以上のカバー糸が芯糸に並列に捲回されていることを特徴とするカバリングヤーン。【選択図】図１
2013231246.tif 000002
【特許請求の範囲】
【請求項１】
２本以上のカバー糸が芯糸に並列に捲回されていることを特徴とするカバリングヤーン。
【請求項２】
２本以上のカバー糸が並列に巻かれたボビンを、フライヤを装着したカバリング装置に仕掛けて製造することを特徴とするカバリングヤーンの製造方法。
【請求項３】
カバー糸の本数とフライヤの足数が同一であり、１本のカバー糸に１つのフライヤ足が対応していることを特徴とする請求項２に記載のカバリングヤーンの製造方法。
【請求項４】
カバー糸が並列に巻かれたボビンからカバー糸を解舒し、ボビンに並列に巻かれている糸順番でフライヤ足ガイドへの糸通しを行なうことを特徴とする請求項３に記載のカバリングヤーンの製造方法。
【請求項５】
隣り合うフライヤ足の角度（θ）が下式を満足することを特徴とする請求項３または４に記載のカバリングヤーンの製造方法。
θ＝３６０／ｎ        
（上式において、ｎはフライヤ足の数である。）
【請求項６】
複数のカバー糸を並列に巻き取ったボビンと複数足のフライヤを備えたカバリングヤーンの製造装置。
【発明の詳細な説明】
【技術分野】
【０００１】
本発明は、芯糸にカバー糸を巻き付け被覆してなるカバリングヤーンに関し、特に高生産性に富むカバリングヤーン並びにその製造方法及び装置に関するものである。
【背景技術】
【０００２】
カバリングヤーンは、カバー糸が巻かれたボビンをカバリング装置の中空スピンドルに装着して、当該スピンドル（ボビン）を回転駆動し、中空スピンドルの中空孔を通過する芯糸に、ボビンから解舒したカバー糸をボビンの回転により巻き付けることによって製造される。芯糸へのカバー糸の巻付け位置に関しては、カバー糸が中空スピンドル上部にあるスネールガイドに案内されて、当該スネールガイドの中心を通過する芯糸に巻き付けられる。
【０００３】
従来のカバリングヤーンは、芯糸にカバー糸1本を巻付けたシングルカバリングヤーンとカバー糸２本を用いて、芯糸にカバー糸１本を例えばＺ方向撚に巻きつけた後、その上にカバー糸１本を例えばＳ方向撚に巻付けたダブルカバリングヤーンがある。
【０００４】
一般にカバリング工程での生産性は、主としてカバー糸が巻かれたボビンの回転速度に依存するため、いずれのカバリングヤーンもボビンの回転数を増加することが行われてきている（例えば、下記特許文献１参照）。
生産性を上げるために回転数を増加すると、ボビンから解除されるカバー糸のバルーニングが広がり、それに伴って芯糸の振れが大きくなって、カバリングヤーンの品質低下を誘発し、回転数に限界が生じているのが実情である。又、回転数増加に伴って、電力消費量が増加し、カバリングマシンのスピンドルの磨耗が激しくなり、寿命が短くなる。
【先行技術文献】
【特許文献】
【０００５】
【特許文献１】特開平１０−６０７４６号公報
【発明の概要】
【発明が解決しようとする課題】
【０００６】
本発明は、上記現状に鑑み、高生産性で且つ高品質なカバリングヤーン並びにその製造方法および装置の提供を目的とするものである。
【課題を解決するための手段】
【０００７】
本発明者は、カバー糸が巻かれたボビンの回転数を増加せずに、高生産性で且つ高品質のカバリングヤーンの製造を可能とするために鋭意研究した結果、２本以上のカバー糸が並列に巻かれたボビンとフライヤを装着したカバリング装置を用いることによって、上記目的が達成されることを見出した。また、カバー糸と同じ足数を備えたフライヤを装着したカバリング装置を用いることによって、カバリングヤーンがさらに高品質になることを見出した。
【０００８】
すなわち本発明は以下のとおりである。
（１）２本以上のカバー糸が芯糸に並列に捲回されていることを特徴とするカバリングヤーン。
（２）２本以上のカバー糸が並列に巻かれたボビンを、フライヤを装着したカバリング装置に仕掛けて製造することを特徴とするカバリングヤーンの製造方法。
（３）カバー糸の本数とフライヤの足数が同一であり、１本のカバー糸に１つのフライヤ足が対応していることを特徴とする上記２項に記載のカバリングヤーンの製造方法。
（４）カバー糸が並列に巻かれたボビンからカバー糸を解舒し、ボビンに並列に巻かれている糸順番でフライヤ足ガイドへの糸通しを行なうことを特徴とする上記３項に記載のカバリングヤーンの製造方法。
（５）隣り合うフライヤ足の角度（θ）が下式を満足することを特徴とする上記３または４項に記載のカバリングヤーンの製造方法。
θ＝３６０／ｎ        
（上式において、ｎはフライヤ足の数である。）
（６）複数のカバー糸を並列に巻き取ったボビンと複数足のフライヤを備えたカバリングヤーンの製造装置。
【発明の効果】
【０００９】
本発明のカバリングヤーンは、従来のカバリングヤーンに比べて、ボビン回転数の増加なしに、生産性が２倍以上になる。また、撚飛びや芯糸吊り等のない高品質のカバリングヤーンである。
【図面の簡単な説明】
【００１０】
【図１】本発明のカバリングヤーンの一例を示す図で、カバー糸２本を用いた時のシングルカバリングヤーンの基本構造図である。
【図２】２本のカバー糸をボビンに並列に巻く方法を示した図である。
【図３】本発明のカバリングヤーンの製造方法の一例を示した図である。
【図４】図３のＡ部の拡大図である。
【図５】従来法のカバリングヤーンの製造方法の一例を示した図である。
【図６】図５のＢ部の拡大図である。
【発明を実施するための形態】
【００１１】
本発明について、以下具体的に説明する。
本発明のカバリングヤーンは２本以上のカバー糸が芯糸に並列に捲回されていることを特徴とし、図１は本発明のカバリングヤーンの一例を示した図である。図１に示したカバリングヤーンは、シングルカバリングヤーンであり、芯糸１に２本のカバー糸２および３が並列に螺旋状に捲回されている。
【００１２】
本発明に用いる芯糸は、従来使用されている芯糸が何ら制限なく使用できる。一例として伸縮する弾性体が挙げられるが、伸度、断面形状など特に限定されるものではない。伸縮する弾性体としては、例えば、ポリウレタン系弾性長繊維、ポリオレフィン系弾性長繊維、ポリエステル系弾性長繊維、ポリアミド系弾性長繊維、シリコーンエラストマー、合成ゴム、天然ゴムおよび前記弾性体と有機繊維、無機繊維との複合繊維等が挙げられる。
【００１３】
本発明に用いるカバー糸は、用途に応じて適宜選定すればよい。例えば、麻、綿、羊毛等の天然繊維、レーヨン繊維、キュプラ繊維等のセルロース繊維および加工糸、ポリエステル繊維および加工糸、ポリアミド繊維および加工糸、超高分子量ポリオレフィン繊維、ポリ（ｐ−フェニレンベンゾビスオキサゾール）繊維、芳香族ポリアミド繊維、ラメ糸、アルミ、銅等の金属繊維等、公知の各種繊維を単独或いは混用して用いてもよい。混用手段も混紡、混繊、交撚、等公知の混用手段を採用すればよい。
【００１４】
以下、本発明のカバリングヤーンを製造する方法について説明する。
２本以上のカバー糸をボビンに並列に巻く方法としては、例えば図２に示すように、２本のカバー糸２および３がボビンに並列に巻かれるように配列コーム４に順番に通してボビン巻きすればよい。カバー糸が３本以上の場合も同様の操作でボビン巻きすればよい。これら複数のカバー糸は、同じ種類であっても異なった種類であってもよい。
従来法では、ボビンには複数本のカバー糸が巻かれずに、１本のカバー糸のみがボビンに巻かれている。
【００１５】
図３は、２本のカバー糸（２、３）が並列に巻かれたボビンを、２本足フライヤ（７）を装着したカバリング装置に仕掛けて稼働させた場合の模式図である。図４は図３のＡ部の拡大図を示している。芯糸１は中空スピンドル６の中空部を通って、上方のスネールガイド（図示せず）を通り、テイクアップロール（図示せず）でテイクアップされる。カバー糸２は２本足フライヤ７の一方の足ガイド１１および１２へ通され、カバー糸３は他方の足ガイド１３および１４に通され、中空スピンドルの回転（ボビンの同調）によりボビンから解舒され、カバー糸２および３は芯糸１に並列に捲回されながらスネールガイドを通り、テイクアップされる。
【００１６】
２本のカバー糸２および３が並列に巻かれたボビンを、２本足フライヤを装着したカバリング装置に仕掛け、カバー糸を２本共２本足フライヤの一方の足ガイド（例えば、１１および１２）に通し、他方の足ガイド（例えば、１３および１４）に通さず稼動すると、並列に巻かれたカバー糸２および３がボビンから解舒される時に解舒撚が付与され、カバー糸２および３が芯糸に並列に捲回されず、あたかも１本の糸が捲回されているようになる場合がある。従って、上述のように、２本のカバー糸は別々のフライヤ足のガイドに通すことが好ましい。
【００１７】
従来法は、フライヤを使用しないでカバリングヤーンを製造しているのが主流である。しかし、太い（単位長さあたりの質量が大きい）カバー糸を使用する場合は、ボビンから解舒されるカバー糸のバルーニングが大きくなるため、その抑制方法としてフライヤが使用される場合がある。図５はその一例を示した図であり、図６は図５のＢ部の拡大図である。フライヤ１０は２本足を使用し、一方の足ガイド１５および１６にカバー糸が通され、他方の足ガイド１７および１８にはカバー糸を通されない。フライヤ１０の足数を２本にする理由は、フライヤが回転した時にフライヤ１０のバランスをとるためである。
【００１８】
本発明では、ボビンに２本以上のカバー糸を並列に捲回しておき、全てのカバー糸を同時に芯糸に捲回するので生産性が向上し、カバー糸の本数に対応したフライヤ足数を用いるため高品質なカバリングヤーンが得られる。例えば、生産性は、２本足フライヤでは従来法に比べて２倍に、３本足フライヤでは３倍になり、フライヤ足数が増えるにつれて比例的に増加する。フライヤの足数は２本から６本が好ましく、２本から４本が特に好ましい。足数が増えるにつれて作業性が悪くなり、７本以上になるとフライヤ足ガイドへのカバー糸の糸通し作業が困難となる。
【００１９】
フライヤ足ガイドへのカバー糸の糸通しは、ボビンに並列に巻かれている糸順番に通すことが好ましい。巻かれている順序と糸通しの順序が異なると、ボビンからのカバー糸の解舒性が悪くなり、解舒時の解舒張力バラツキや過張力により、カバリングヤーンの品質異常や糸切れを誘発させる場合がある。
【００２０】
また、隣り合うフライヤ足の角度（θ）は、下式を満足することが好ましい。
θ＝３６０／ｎ
（但し、ｎはフライヤ足の数である。）
例えば、カバー糸２本を使用した場合は隣り合うフライヤ足の角度が１８０度であり、カバー糸３本を使用した場合は隣り合うフライヤ足の角度が１２０度であるが、隣り合うフライヤ足の角度は上記式より得られた角度θの±５度であってもよい。
フライヤ取付け角度を適正に設定することにより、芯糸１にカバー糸が捲回される時、芯糸１に加わる力がバランスして、芯糸のぶれが抑制されることにより、高品質のカバリングヤーンを得ることができる。
【００２１】
本発明では、２本以上のカバー糸として、異なる糸種を用いることにより、意匠性のあるカバリングヤーンを得ることができるし、また、同じ糸種のカバー糸を用いれば、１本のカバー糸を用いた従来法と類似のカバリングヤーンを得ることができる。
更には、図３に示す部位の上部にさらに図３に示す部位を重ねて設けることで、高生産性、高品質のダブルカバリングヤーンを得ることができる。
【実施例】
【００２２】
以下に本発明を実施例に基づいて説明するが、本発明はこれらの実施例のみに限定されるものではない。
本発明で用いた評価方法は以下の通りである。
（１）撚飛び：
撚飛びとは、カバリングヤーンの撚り数が設定より少なく、カバー糸がループ状に浮いて芯糸が見えるようになっている状態を言い、カバリングヤーンをプレートに巻いて、目視検査にて下記の基準で３段階評価を行なった。
○        ：  殆ど観られない。
△        ：  部分的に観られる。
×        ：  多く観られる。
【００２３】
（２）芯糸吊り：
芯糸吊りとは、カバリングヤーンに糸軸方向で撚り数の斑があり、カバー糸が粗密になっている状態を言い、カバリングヤーンをプレートに巻いて、目視検査にて下記の基準で３段階評価を行なった。
○        ：  殆ど観られない。
△        ：  部分的に観られる。
×        ：  多く観られる。
【００２４】
（３）カバー糸のネップ発生：
カバー糸のネップとは、カバー糸の単糸切れにより切れた単糸が集まっているようになっている状態を言い、カバリングヤーンをプレートに巻いて、目視検査にて下記の基準で３段階評価を行なった。
○        ：  殆ど観られない。
△        ：  部分的に観られる。
×        ：  多く観られる。
【００２５】
（４）カバー糸仕掛けの作業性：
○        ：  従来法と殆ど変わらない。
△        ：  若干悪い。
×        ：  悪い。
（５）芯糸切れ：
カバリングマシンを３０分稼動させた時の芯糸切れの有無で評価を行なった。
【００２６】
［実施例１］
市販のボビンワインダーのトラバースガイドを図２に示す配列コームに変更し、カバー糸２および３としてエステル１６７ｄｔｅｘ／９６ｆ（東レ製）を用いてボビン巻きして並列に巻かれたカバリング用ボビンを得た。
２本足フライヤを装着した片岡カバリングマシンに得られたカバリング用ボビンを仕掛け、カバー糸２を一方のフライヤ足のガイドに通し、カバー糸３をもう一方のフライヤ足のガイドに通し、芯糸にポリウレタン繊維（旭化成せんい製  ロイカ４４ｄｔｅｘ）を用い、スピンドル回転数６０００ｒｐｍ、撚数７５０ｔ／ｍ、ドラフト３．０で稼動してシングルカバリングヤーンを得た。得られたカバリングヤーンの評価結果を表１に示す。
【００２７】
［実施例２］
カバー糸を４本とし、４本足フライヤを用いた以外は、実施例１と同様にして、シングルカバリングヤーンを得た。得られたカバリングヤーンの評価結果を表１に示す。
【００２８】
［実施例３］
カバー糸を８本とし、８本足フライヤを用いた以外は、実施例１と同様にして、シングルカバリングヤーンを得た。得られたカバリングヤーンの評価結果を表１に示す。
【００２９】
［実施例４］
カバー糸２にエステル１６７ｄｔｅｘ／９６ｆ（東レ製）を、カバー糸３にキュプラ１６７ｄｔｅｘ／７０ｆ（旭化成せんい製）を用いた以外は、実施例１と同様にして、シングルカバリングヤーンを得た。得られたカバリングヤーンの評価結果を表１に示す。
【００３０】
［比較例１］
市販のボビンワインダーを用い、カバー糸２にエステル１６７ｄｔｅｘ／９６ｆ（東レ製）を用いてボビン巻きしてカバリング用ボビンを得たことを除いて、実施例１と同様にしてシングルカバリングヤーンを得た。得られたカバリングヤーンの評価結果を表１に示す。
【００３１】
［比較例２］
スピンドル回転数を１２０００ｒｐｍとした以外は、比較例１と同様にしてシングルカバリングヤーンを得た。得られたカバリングヤーンの評価結果を表１に示す。
【００３２】
【表１】
2013231246.tif 000003
【産業上の利用可能性】
【００３３】
本発明のカバリングヤーンは生産性が高く、且つ高品質であるので、その産業上の利用可能性は極めて大きい。
【符号の説明】
【００３４】
１    芯糸
２    カバー糸
３    カバー糸
４    配列コーム
５    ボビン
６    スピンドル
７    フライヤ
８    フライヤキャップ
９    ボビン
１０    フライヤ
１１〜１８    フライヤ足ガイド
【図１】
2013231246.tif 000004
【図２】
2013231246.tif 000005
【図３】
2013231246.tif 000006
【図４】
2013231246.tif 000007
【図５】
2013231246.tif 000008
【図６】
2013231246.tif 000009